(57)【特許請求の範囲】
【請求項１】
口腔内の唾液量を測定する測定装置であって、
口腔内の２箇所に接触させて電流を印加する一対の電流印加電極と、
口腔内の２箇所に接触させて電圧を測定する一対の電圧測定電極と、
前記電流印加電極に印加した電流と前記電圧測定電極で測定された電圧から電気インピーダンスを算出するインピーダンス算出手段と、
算出した電気インピーダンスに基づいて口腔内の唾液量を算出する唾液量算出手段と、
唾液量の算出結果を表示する表示手段とを備えたことを特徴とする口腔内唾液量測定装置。
【請求項２】
前記一対の電圧測定電極は、前記一対の電流印加電極間に配置されることを特徴とする請求項１に記載の口腔内唾液量測定装置。
【請求項３】
前記電流印加電極及び前記電圧測定電極が舌上に配置されることを特徴とする請求項１または請求項２に記載の口腔内唾液量測定装置。
【請求項４】
前記電流印加電極及び前記電圧測定電極が舌下に配置されることを特徴とする請求項１または請求項２に記載の口腔内唾液量測定装置。
【請求項５】
印加する測定電流が１〜４０ｋＨｚの交流信号であることを特徴とする請求項１ないし請求項４のいずれかに記載の口腔内唾液量測定装置。
【請求項６】
前記一対の電流印加電極及び前記一対の電圧測定電極が予め所定の間隔をあけて配置固定された測定電極体を備えており、この測定電極体を口腔内に挿入することにより、前記各電極を口腔内の所定の箇所に接触させることを特徴とする請求項１ないし請求項５のいずれかに記載の口腔内唾液量測定装置。
【請求項７】
前記測定電極体が、舌を左右両側から挟み込むように前方側が開口した略Ｕ字形状に形成されており、この測定電極体の対向する内面側の面に前記一対の電流印加電極と前記一対の電圧測定電極とがそれぞれ配置されていることを特徴とする請求項６に記載の口腔内唾液量測定装置。
【請求項８】
前記電流印加電極が略Ｕ字状の測定電極体の開口先端側に配置されており、前記電圧測定電極が前記電流印加電極より開口先端側とは反対側のＵ字状の底側に配置されていることを特徴とする請求項７に記載の口腔内唾液量測定装置。
【請求項９】
前記インピーダンス算出手段、前記唾液量算出手段及び前記表示手段が把持可能な装置本体内に収納されており、この装置本体に前記測定電極体が一体的に取り付けられていることを特徴とする請求項６ないし請求項８のいずれかに記載の口腔内唾液量測定装置。
【発明の詳細な説明】
【技術分野】
【０００１】
本発明は、口腔内の唾液量を測定することによって、口腔内の乾燥状態を判定する口腔内唾液量測定装置に関する。
【背景技術】
【０００２】
従来より口の中の唾液量が減少する口腔乾燥症が知られている。この口腔乾燥症を調べるために唾液量を測定する方法として、サクソンテスト、ガム法、ワッテ法等の各種方法がある。これらの方法は、直接唾液を採取してその量を測定する方法がある。
【０００３】
例えば、サクソンテストでは、ガーゼを一定時間口に含んで噛み、そのガーゼに含まれた唾液の量を測定する。また、ガム法では、チューインガムを１０分間噛み、その間に分泌された唾液の量を測定する。また、ワッテ法では、舌下部にロールワッテを置いて３０秒あるいは６０秒後に取り出し、その間に吸湿された唾液量を測定する。
【０００４】
この他にも、唾液を採取する方法として、被検者の口内に挿入するサンプリング管にポンプを連結することで、被検者の唾液を吸引するようにした装置も提案されている（例えば、特許文献１参照）。
【特許文献１】特開２０００−９６９３号公報
【発明の開示】
【発明が解決しようとする課題】
【０００５】
このように、従来の測定方法では、直接唾液を採取しているため、測定に１〜１０分程度の時間がかかっていた。また、少ない採取量で唾液量を正確に測定することは難しく、新たな測定装置の必要性が生じていた。
【０００６】
本発明はかかる問題点を解決すべく創案されたもので、その目的は、短時間の間に唾液量を正確に測定することのできる口腔内唾液量測定装置を提供することにある。
【課題を解決するための手段】
【０００７】
上記課題を解決するため、本発明の口腔内唾液量測定装置は、口腔内の２箇所に接触させて電流を印加する一対の電流印加電極と、口腔内の２箇所に接触させて電圧を測定する一対の電圧測定電極と、前記電流印加電極に印加した電流と前記電圧測定電極で測定された電圧から電気インピーダンスを算出するインピーダンス算出手段と、算出した電気インピーダンスに基づいて口腔内の唾液量を算出する唾液量算出手段と、唾液量の算出結果を表示する表示手段とを備えた構成としている。
【０００８】
口腔内に唾液が多く分泌されていれば、唾液を媒体として電流がよく流れ、乾燥していると電流が流れにくいのは周知の事実である。従って、口腔内の電気インピーダンスから唾液の分泌量を計算により推定することが可能である。本発明では、この原理を利用して口腔内の唾液量を測定する測定装置を構築している。
【０００９】
ここで、電気インピーダンスから唾液の分泌量を算出（推定）する方法について以下に説明する。
【００１０】
図１０に示すＳＬＺ図のように、唾液が断面積Ｓ、長さＬの層を成していると考えると、その電気インピーダンスＺは、次式（１）で表される。
【００１１】
Ｚ＝ρＬ／Ｓ（ρ：唾液の抵抗率）
Ｓ＝ρＬ／Ｚ  ・・・（１）
【００１２】
一方、求めたい唾液の量（体積）Ｖは、断面積Ｓと長さＬを用いて次式（２）で表される。
Ｖ＝Ｓ×Ｌ  ・・・（２）
【００１３】
従って、上記（２）式に上記（１）式を代入すると、次式（３）のようになる。
Ｖ＝ρＬ／Ｚ×Ｌ＝ρＬ2／Ｚ  ・・・（３）
ここで、測定される唾液層の長さＬは、２つの電圧測定電極間の距離に相当するので、この電圧測定電極の寸法によって決まる既知の量である。また、唾液の抵抗率ρは、唾液の成分（一般健常者の場合９９％以上が水分で、微量の消化酵素やタンパク質電解質が含まれる）により決まるので、唾液の成分に大きな個人差がないとすると、測定された電気インピーダンスＺから唾液の量（体積）Ｖを求めることができる。この場合、唾液の成分の年齢層や性別によるばらつきを考慮して、ρの標準値を年齢層、性別毎に数種類用意しておき、使い分けることで、唾液の量（体積）Ｖの算出精度（推定精度）を高めることができる。
【００１４】
一方、上記のように唾液の抵抗率ρを唾液の成分から求める方法の他に、統計的に求める方法も考えられる。すなわち、同じ被検者に対して上記のインピーダンス測定と、別の妥当な測定方法（上記従来の技術で例示したサクソンテスト、ガム法、ワッテ法等）で唾液の量（体積）を測定する。このような測定を統計的に必要な数の被検者に対して実施後、Ｌ2／Ｚを説明変数、唾液の量（体積）Ｖを目的変数として回帰分析を行うことにより、回帰係数としてρを求める方法である。このような回帰分析を行う場合は、Ｌ2／Ｚ以外に身長、体重、年齢、性別といった個人の身体的特徴データも説明変数に加え、推定精度を高めるのが常套手段である。
【００１５】
上記のようにして唾液量を算出するためには、前記一対の電圧測定電極は、前記一対の電流印加電極間に配置する必要がある。また、測定時の前記電流印加電極及び前記電圧測定電極の接触位置としては、舌上、または舌下、または頬内側に配置する。この場合、上記した電気インピーダンスから唾液分泌量を算出する方法からも分かるとおり、電極間の距離はできるだけ離れている方が、より正確な測定が可能である。
【００１６】
また、印加する測定電流としては、１〜４０ｋHzの交流信号が好適である。４０ｋHz以上になると、電流が舌表面の唾液中だけでなく、皮膚を通過して生体組織内部にも流れるため、唾液量を測定するための正確な電気インピーダンスが得られないからである。一方、１ｋHz以下の低周波数では、心室細動を引き起こすリスクが高く、１ｋHzを超えるとそのリスクが急激に減少することが知られている（JIS T 0601-1:1999 付属書A)。よって、印加する測定電流としては、上記した１〜４０ｋHzが好適である。また、測定時間としては、１〜１０秒程度で十分に測定可能である。
【００１７】
また、本発明の口腔内唾液量測定装置は、前記一対の電流印加電極及び前記一対の電圧測定電極が予め所定の間隔をあけて配置固定された測定電極体を備えており、この測定電極体を口腔内に挿入することにより、前記各電極を口腔内の所定の箇所に接触させる構成としている。このように、測定電極体を口腔内に挿入して舌や頬の内側に接触させるだけで、電極間距離を常に一定に保つことができるので、正確な測定が可能となるものである。
【００１８】
この場合、前記測定電極体を略矩形状に形成し、この測定電極体の一方の面上において、対向する２箇所の角隅部に前記一対の電流印加電極をそれぞれ配置し、他の２箇所の角隅部に前記一対の電圧測定電極をそれぞれ配置する構成とすることができる。このように、各電極を対角線状に配置することで、電極間の距離をかせぐことが可能となる。
【００１９】
また、前記測定電極体を、舌を左右両側から挟み込むように前方側が開口した略Ｕ字形状に形成し、この測定電極体の対向する内面側の面に前記一対の電流印加電極と前記一対の電圧測定電極とをそれぞれ配置する構成とすることができる。この場合、前記電流印加電極が略Ｕ字状の測定電極体の開口先端側に配置されており、前記電圧測定電極が前記電流印加電極より開口先端側とは反対側のＵ字状の底側に配置された構成とする。このような構成とすることで、上記と同様、電極間の距離をかせぐことが可能となり、より正確な測定が可能となる。
【００２０】
また、本発明の口腔内唾液量測定装置は、前記インピーダンス算出手段、前記唾液量算出手段及び前記表示手段が把持可能な装置本体内に収納されており、この装置本体に前記測定電極体一体的に取り付けられた構成としている。このような構成とすれば、検査者は、装置本体を手で把持した状態で、測定電極体を被検者の口腔内に挿入するだけで簡単に測定することができる。また、持ち運びも便利であり、携帯にも適したものとなる。
【発明の効果】
【００２１】
本発明の口腔内唾液量測定装置は、上記のように構成したので、従来よりも短時間に、かつ正確に口腔内の唾液量を測定することができる。
【発明を実施するための最良の形態】
【００２２】
以下、本発明の実施の形態について、図面を参照して説明する。
図１は、本実施形態の口腔内唾液量測定装置の電気的構成を示すブロック図である。
【００２３】
本実施の形態の口腔内唾液量測定装置は、電気インピーダンスを測定する測定ブロックＡと、測定された電気インピーダンスに基づいて唾液量を演算処理する演算処理ブロックＢとに大別される。
【００２４】
演算処理ブロックＢは、測定及び演算処理を実行するＣＰＵ１１、測定処理プログラムや演算処理プログラム、及び各種定数や演算式等を格納するＲＯＭ１２、各種演算結果を格納するとともに、測定処理時及び演算処理時にはワークエリアとして働くＲＡＭ１３、測定結果や演算結果等を表示する表示部１４、測定に関するデータや演算に関するデータを入力するキーボード等の入力部１５を備えている。
【００２５】
測定ブロックＡは、測定処理部２及び電極部３からなる。
【００２６】
測定処理部２は、基準となるクロックを発生する基準クロック発生器２１、ＲＯＭ１２に格納されている測定処理プログラムに従いＣＰＵ１１から送信されてくる測定制御信号に基づいて所定の交流信号（交流電流Ｉａ）を発生する測定信号発生器２２、発生した交流電流Ｉａを一定の電流で駆動する信号増幅器２３、一定の電流で駆動後の交流電流Ｉａを出力する交流電流出力用端子２３ａ、口腔内の唾液を流れてきた交流電流Ｉｂを入力する交流電流入力用端子２４ａ、入力された交流電流Ｉｂを電圧に変換する電流／電圧変換器２４、変換後の電圧信号Ｖｃからノイズ成分を除去するＬＰＦ２５、ノイズ成分除去後のアナログ信号である電圧信号Ｖｃをデジタル信号に変換してＣＰＵ１１に入力するためのＡ／Ｄ変換器２６、電圧検出用端子２７ａ，２７ｂを有する差動増幅器２７、差動増幅器２７により検出された電位差信号Ｖｐからノイズ成分を除去するＬＰＦ２８、ノイズ成分除去後のアナログ信号である電位差信号Ｖｐをデジタル信号に変換してＣＰＵ１１に入力するためのＡ／Ｄ変換器２９等を備えている。
【００２７】
一対の交流電流入出力端子２３ａ，２４ａには、測定ケーブル３１ａ，３２ａを介して一対の電流印加電極３１，３２が接続されており、一対電圧検出用端子２７ａ，２７ｂには、測定ケーブル３３ａ，３４ａを介して一対の電圧測定電極３３，３４が接続されている。
【００２８】
測定信号発生器２２は、本実施形態では、１〜４０ｋHzの範囲内の任意の周波数の交流信号を生成する。信号増幅器２３は、人体に過大な電流を流し過ぎず、かつ十分な測定精度を確保するため、１００〜８００μＡ程度の測定電流を出力するものが好ましい。また、測定対象の電気インピーダンスが変化しても、測定電流が変化しない定電流回路とすることが好ましい。差動増幅器２７は、電圧測定電極３３，３４間の電圧を測定可能なレベルまで増幅する。電流／電圧変換器２４は、測定電流を検出し、測定可能な電圧に変換する。ただし、信号増幅器２３の出力が定電流であれば、電流の測定は必ずしも必要ではない。
【００２９】
演算処理ブロックＢは、測定された電圧と電流から電気インピーダンスを算出し、唾液量を算出（推計）する。表示部１４は、測定結果を表示する。入力部１５には測定開始ボタン１５ａ（図２参照）が設けられており、この測定開始ボタン１５ａを操作することで測定開始指示をＣＰＵ１１に入力する。
【００３０】
図２は、上記構成の口腔内唾液量測定装置の外観図であり、（ａ）は正面図、（ｂ）は底面図である。
【００３１】
本実施形態の口腔内唾液量測定装置は、上記測定ブロックＡと演算処理ブロックＢとが、把持可能な筒形状に形成された装置本体４１内に収納されており、装置本体４１の表面には、表示部１４の表示パネルと測定開始ボタン１５ａとが配置されている。そして、本体４１の先端部に、支持杆４２を介して測定電極体４３が一体的に取り付けられており、この測定電極体４３の表面に、電流印加電極３１，３２と電圧測定電極３３，３４とが配置固定された構成となっている。図２（ｂ）に示すように、測定電極体４３は楕円形状に形成されており、その下面側の前後両外側の位置に電流印加電極３１，３２がそれぞれ対向配置されており、その電流印加電極３１，３２の内側に電圧測定電極３３，３４がそれぞれ対向配置された構成となっている。
【実施例１】
【００３２】
図３は、測定電極体４３の他の実施例（以下、実施例１という。）を示しており、図２に示す測定電極体４３を下から見た図である。
【００３３】
本実施例１の測定電極体４３ａは、その全体が略矩形状に形成され、その一方の面上（図２では下面側）において、対向する２箇所の角隅部に一対の電流印加電極３１，３２がそれぞれ配置固定され、他の２箇所の角隅部に一対の電圧測定電極３３，３４がそれぞれ配置固定された構成となっている。このように、測定電極体４３ａ上に電極を配置固定することで、各電極間の距離を常に一定に保つことができるため、測定誤差を無くすことができる。また、各一対の電極３１，３２及び３３，３４をそれぞれ対角線状に配置することで、電極間の距離をかせぐことが可能となる。なお、本実施例１の測定電極体４３ａの場合には、口腔内に挿入した測定電極体４３ａを舌の上に載せて軽く押さえつけることで、電気インピーダンスを確実に測定することができる。
【実施例２】
【００３４】
図４は、測定電極体４３のさらに他の実施例（以下、実施例２という。）を示しており、図２に示す測定電極体４３を上から見た図である。
【００３５】
本実施例２の測定電極体４３ｂは、その全体が略半円弧形状の板状体に形成されているとともに、先端側である直線部分の中央部に所定幅の切込み部４３ｂ１が形成されている。そして、その一方の面上（図２では上面側）において、ほぼ対角線状に対向する２箇所の位置に一対の電流印加電極３１，３２がそれぞれ配置固定され、ほぼ対角線状に対向する他の２箇所の位置に一対の電圧測定電極３３，３４がそれぞれ配置固定された構成となっている。このように、測定電極体４３ｂ上に電極を配置固定することで、各電極間の距離を常に一定に保つことができるため、測定誤差を無くすことができる。また、各一対の電極３１，３２及び３３，３４をそれぞれ対角線状に配置することで、電極間の距離をかせぐことが可能となる。なお、本実施例２の測定電極体４３ｂの場合には、口腔内に挿入した測定電極体４３ｂを舌の下側に挿入して舌側に軽く押さえつけることで、電気インピーダンスを確実に測定することができる。
【実施例３】
【００３６】
図５は、測定電極体４３のさらに他の実施例（以下、実施例３という。）を示しており、（ａ）は斜視図、（ｂ）は平面図である。
【００３７】
本実施例３の測定電極体４３ｃは、その全体が、舌を左右両側から挟み込むように前方側が開口した略Ｕ字形状のマウスピース型に形成されている。そして、この測定電極体４３ｃの対向する内面側に、一対の電流印加電極３１，３２と一対の電圧測定電極３３，３４とがそれぞれ配置固定された構成となっている。この場合、電流印加電極３１，３２を開口先端側に配置し、電圧測定電極３３，３４を電流印加電極３１，３２より内側（開口先端側とは反対側のＵ字状の底側）に配置する。このような配置構造とすることで、電流印加電極３１，３２間に印加された電流を電圧測定電極３３，３４で確実に検出して電圧に変換することができる。また、電極間の距離をかせぐことが可能となり、より正確な測定が可能となる。なお、本実施例３の測定電極体４３ｃの場合には、測定電極体４３ｃを、舌を左右両側から挟み込むようにして口腔内に挿入することで、舌の左右両側に各電極を確実に接触させることができるので、電気インピーダンスを確実に測定することができる。
【実施例４】
【００３８】
図６は、測定電極体４３のさらに他の実施例（以下、実施例４という。）を示す平面図である。
【００３９】
本実施例４の測定電極体４３ｄは、その全体が、舌を左右両側から挟み込むように前方側が開口した略Ｕ字形状のマウスピース型に形成されている。そして、この測定電極体４３ｄの対向する外面側に、一対の電流印加電極３１，３２と一対の電圧測定電極３３，３４とがそれぞれ配置固定された構成となっている。この場合、電流印加電極３１，３２を開口先端側に配置し、電圧測定電極３３，３４を電流印加電極３１，３２より内側（開口先端側とは反対側のＵ字状の底側）に配置する。このような配置構造とすることで、電流印加電極３１，３２間に印加された電流を電圧測定電極３３，３４で確実に検出して電圧に変換することができる。また、本実施例４の測定電極体４３ｄの構造は、上記実施例３の測定電極体４３ｃの構造に比べて、電極間の距離をさらにかせぐことが可能となり、より正確な測定が可能となる。なお、本実施例４の測定電極体４３ｄの場合には、測定電極体４３ｄを、舌を左右両側から挟み込むようにして口腔内に挿入することで、頬の左右内側に各電極を確実に接触させることができるので、電気インピーダンスを確実に測定することができる。
【００４０】
次に、上記構成の口腔内唾液量測定装置の使用方法について説明する。
【００４１】
本実施形態の口腔内唾液量測定装置は、図７に示すように、装置本体４１を把持した状態で、被検者の口腔内に測定電極体４３を挿入する。ただし、図７には、図２に示す測定電極体４３（または、図３に示す実施例１の測定電極体４３ａ）が図示されているため、この場合には、測定電極体４３を舌の上に載せて軽く押さえつける。これにより、電流印加電極３１，３２と電圧検出電極３３，３４とが舌に密着する。そして、この状態で装置本体４１に設けられた測定開始ボタン１５ａを押すと、測定信号発生器２２から所定周波数（具体的には、１〜４０ｋHzの範囲内の任意に設定された周波数）の交流電流Ｉａを発生し、信号増幅器２３、交流電流出力用端子２３ａ、測定ケーブル３１ａ及び電流印加電極３１を介して人体に印加する。そして、電流印加電極３２、測定ケーブル３２ａ、交流電流入力用端子２４ａ、電流／電圧変換器２４、ＬＰＦ２５及びＡ／Ｄ変換器２６を介して入力された電流信号と、電圧測定電極３３，３４、測定ケーブル３３ａ，３４ａ、差動増幅器２７、ＬＰＦ２８及びＡ／Ｄ変換器２９を介して入力された電位差信号とに基づき、演算処理ブロックＢにおいて電気インピーダンスを算出する。そして、この算出した電気インピーダンスから、口腔内の唾液量を算出する。なお、唾液量の算出方法については、課題を解決するための手段のところですでに説明しているので、ここでは説明を省略する。
【００４２】
次に、測定信号発生器２２から発生する周波数の範囲を１〜４０ｋHzの範囲内の任意の周波数に設定することの根拠について説明する。
【００４３】
図８は、測定周波数ごとの唾液量と１／Ｚとの相関係数を示すグラフである。
【００４４】
このグラフは、次のような実験によって求めたものである。すなわち、図１に示す各電極３１，３２，３３，３４を例えば舌上に接触させた状態で、測定信号発生器２２より、１ｋHzから４０ｋHzまでは２．５ｋHz刻みの周波数成分を含む交流電流Ｉａを発生させるとともに、４０ｋHz以上は順次周波数間隔を広くした周波数成分を含む交流電流Ｉａを発生させ、信号増幅器２３、交流電流出力用端子２３ａ、測定ケーブル３１ａ及び電流印加電極３１を介して人体に印加する。そして、電流印加電極３２、測定ケーブル３２ａ、交流電流入力用端子２４ａ、電流／電圧変換器２４、ＬＰＦ２５及びＡ／Ｄ変換器２６を介して入力された電流信号と、電圧検出電極３３，３４、測定ケーブル３３ａ，３４ａ、差動増幅器２７、ＬＰＦ２８及びＡ／Ｄ変換器２９を介して入力された電位差信号とに基づき、演算処理ブロックＢにおいて各周波数成分での電気インピーダンスを算出する。その直後に、舌上の唾液を濾紙に吸収させて唾液量Ｖを測定する。このような測定を、舌の乾燥度合いを変えて数回実施する。ここで、電気インピーダンスＺは、理論上唾液量Ｖに反比例することから、Ｖと１／Ｚの相関分析を実施して、両者の相関の強さを表す相関係数を求め、周波数ごとの違いをプロットしたのが図８に示すグラフである。因みに、各測定周波数とそのときの相関係数との関係を、図９に表形式でまとめている。
【００４５】
図８及び図９に示す通り、測定周波数が低いほど、電気インピーダンス（の逆数）と唾液量との相関が高く、測定に適していることが分かる。これは、周波数が高くなると、唾液中だけでなく、皮膚を通過して生体組成内部にも電流が流れるためと考えられるからである。ここで、相関係数が０．７２０近傍のレベルを測定精度の下限レベルとすると、好適な周波数としては上記した１〜４０ｋHzの範囲内であるが、より好ましくは、１〜２０ｋHzの範囲が好適であり、中でも１〜１０ｋHzの範囲が最適であると言える。
【００４６】
なお、上記実施形態では、装置本体４１に設けられた測定開始ボタン１５ａを押すことで電流を印加し、唾液量の測定を開始する構成としているが、測定開始のきっかけとしてはこのようなボタン操作に限らず、例えば、測定電極体４３が舌等に押し当てられたときの圧力を検知して測定を開始する構成、または測定電極体４３が舌等に押し当てられることによって電流印加電極３１，３２間に実際に電流が流れることによって測定を開始する構成、等とすることが可能である。
【００４７】
また、本発明では、口腔内の唾液量を測定して表示する構成としているが、測定した唾液量と予め用意しておいた健常者の唾液量の標準値とを比較することによって、測定値が標準値に対してある一定のレベル以下であった場合には警報等を出力するように構成してもよい。
【図面の簡単な説明】
【００４８】
【図１】本発明の口腔内唾液量測定装置の電気的構成を示すブロック図である。
【図２】本発明の口腔内唾液量測定装置の外観図であり、（ａ）は正面図、（ｂ）は底面図である。
【図３】測定電極体の実施例１を示しており、図２に示す測定電極体を下から見た図である。
【図４】測定電極体の実施例２を示しており、図２に示す測定電極体を上から見た図である。
【図５】測定電極体の実施例３を示しており、（ａ）は斜視図、（ｂ）は平面図である。
【図６】測定電極体の実施例４を示す平面図である。
【図７】本発明の口腔内唾液量測定装置の使用方法を説明する図である。
【図８】測定周波数ごとの唾液量と１／Ｚとの相関係数を示すグラフである。
【図９】各測定周波数とそのときの相関係数との関係を示す図表である。
【図１０】電気インピーダンスから唾液の分泌量を推定する方法を説明する図（ＳＬＺ図）である。
【符号の説明】
【００４９】
Ａ 測定ブロック
Ｂ 演算処理ブロック
２ 測定処理部
３ 電極部
１１  ＣＰＵ
１２  ＲＯＭ
１３  ＲＡＭ
１４  表示部
１５  入力部
１５ａ  測定開始ボタン
２１  基準クロック発生器
２２  測定信号発生器
２３  信号増幅器
２３ａ  交流電流出力用端子
２４  電流／電圧変換器
２４ａ  交流電流入力端子
２５，２８  ＬＰＦ
２６，２９  Ａ／Ｄ変換器
３１，３２  電流印加電極
３３，３４  電圧検出電極
３１ａ，３２ａ，３３ａ，３４ａ  測定ケーブル
４１  装置本体
４２  支持杆
４３（４３ａ〜４３ｄ）  測定電極体
【図１】
0004759353.tif 000002
【図２】
0004759353.tif 000003
【図３】
0004759353.tif 000004
【図４】
0004759353.tif 000005
【図５】
0004759353.tif 000006
【図６】
0004759353.tif 000007
【図７】
0004759353.tif 000008
【図８】
0004759353.tif 000009
【図９】
0004759353.tif 000010
【図１０】
0004759353.tif 000011